(57)【要約】      （修正有）【課題】有毒化学薬品を使用することなく、一定の距離から昆虫を殺すためのデバイスを提供する。【解決手段】バレルに接続されたチャンバーに流体接続された圧縮ガス源を含み、圧縮ガスリリースメカニズムが圧縮ガス源に接続され、発射体貯蔵マガジン３４は微粒子発射体を貯蔵し、チャンバーに隣接して配設された殺虫銃１０。【選択図】図１
2019083812.tif 000002
【特許請求の範囲】
【請求項１】
コンパクトな改善された殺虫銃であって、
圧縮ガス源と、
チャンバーであって、前記チャンバーは前記圧縮ガス源に流体接続されている、前記チャンバーと、
バレルであって、前記バレルは前記チャンバーの遠位端部に配設されている、前記バレルと、
圧縮ガスリリースメカニズムであって、前記リリースメカニズムは前記圧縮ガス源に接続されている、前記圧縮ガスリリースメカニズムと、
発射体貯蔵マガジンであって、前記マガジンは、微粒子発射体を貯蔵し、前記チャンバーに隣接して配設されている、前記発射体貯蔵マガジンと
を含み、
前記発射体貯蔵マガジンは、
円筒状チャンバーであって、前記円筒状チャンバーは第１の側および第２の側の発射体ローディングスロットを有し、前記ローディングスロットは前記円筒状チャンバーの上縁から前記円筒状チャンバーのベースまで延在しており、前記チャンバーは下側端部に円形開口部を有する、前記円筒状チャンバー
を含み、
前記下側端部は、前記チャンバーを通る垂直方向の円形開口部の上側端部にシール可能にフィットされており、
前記発射体貯蔵マガジンは、
長方形の発射体フィーディングトレイであって、前記フィーディングトレイは、前記円筒状チャンバーを取り囲んでおり、前記円筒状チャンバーの外側に微粒子発射体のための追加的なスペースを提供している、前記長方形の発射体フィーディングトレイと、
ヒンジ式で取り付けられたシーリング蓋であって、前記シーリング蓋は前記蓋の下側に第１および第２の半円形リッジを有しており、前記リッジは前記第１の側および第２の側の発射体ローディングスロットに隣接して前記円筒状チャンバーの上縁を取り囲むように設計されている、前記シーリング蓋と
をさらに含み、
前記シーリング蓋は前記下側に周辺チャネルを有し、前記周辺チャネルは前記シーリング蓋が閉位置へ移動したときに前記長方形の発射体フィーディングトレイをシールするようにサイズ決めされ、形状決めされ、かつ配設されており、
前記発射体貯蔵マガジンは、
蓋ラッチングメカニズムであって、前記蓋ラッチングメカニズムは前記シーリング蓋のためのヒンジの反対側に配設されている、前記蓋ラッチングメカニズム
をさらに含み、
前記殺虫銃は、
発射体ローディングメカニズムであって、前記ローディングメカニズムは前記マガジンから前記チャンバー内へ前記微粒子発射体を移動させる、前記発射体ローディングメカニズムと、
前記圧縮ガス源、前記圧縮ガスリリースメカニズム、および前記発射体ローディングメカニズムを機械的に接続するコッキングメカニズムと、
自動コッキング状況インジケーターであって、前記コッキング状況インジケーターは、前記銃のコッキングの後に上昇した可視位置へ移動し、前記銃の発砲の後に低下した隠れた位置へ移動する、前記自動コッキング状況インジケーターと、
外部の手動安全メカニズムであって、前記手動安全メカニズムは、前記銃に対するグリップを維持しながら、ユーザーによって安全位置から発射位置へ移動可能である、前記手動安全メカニズムと、
ストックであって、前記ストックは、前記圧縮ガス源、前記圧縮ガスリリースメカニズム、前記バレル、前記チャンバー、前記発射体貯蔵マガジン、前記コッキングメカニズム、および前記発射体ローディングメカニズムを収容し、かつ支持する、前記ストックと
をさらに含み、
前記銃が前記コッキングメカニズムによってコックされるときに、前記発射体ローディングメカニズムは、所定の分量の前記微粒子発射体を集め、前記発射体を前記チャンバーの中に置き、また、前記圧縮ガスリリースメカニズムが活性化されるときに、前記発射体は、前記チャンバーから前記バレルの中へイジェクトされ、前記銃から放出される、
コンパクトな改善された殺虫銃。
【請求項２】
前記圧縮ガス源は、事前充填されたＣＯ２カートリッジ、再充填可能な圧縮ガスシリンダー、空気圧ポンプ式のガス貯蔵部、スプリング活性化式の圧縮ガスシステム、および外部圧縮ガスラインを含む群から選択される、請求項１に記載のコンパクトな改善された殺虫銃。
【請求項３】
前記スプリング活性化式の圧縮ガスシステムは、
シリンダーであって、前記シリンダーは、フロント端部およびリア端部を有しており、前記フロント端部において前記チャンバーに流体接続されている、前記シリンダーと、
ピストンであって、前記ピストンは、前記シリンダーの中にシール可能にフィットしており、前記シリンダーの中に配設されている、前記ピストンと、
圧縮スプリングであって、前記圧縮スプリングは、前記フロント端部に向けて前記ピストンを付勢する、圧縮スプリングと、
スプリング圧縮メカニズムであって、前記圧縮メカニズムは、前記リア端部に向けて前記ピストンを付勢し、前記圧縮スプリングを圧縮する、前記スプリング圧縮メカニズムと、
ラッチングメカニズムであって、前記ラッチングメカニズムは、前記リア端部に隣接して前記ピストンをリリース可能に保持し、圧縮された状態に前記圧縮スプリングを保持する、前記ラッチングメカニズムと
をさらに含み、
ユーザーが、前記コッキングメカニズムを動作させ、前記スプリング圧縮メカニズムが動作させられ、前記ピストンが前記シリンダーの前記リア端部に向けて付勢され、前記スプリングが圧縮され、前記スプリングおよび前記ピストンがリリースされるまで前記ラッチングメカニズムによって保持され、前記ピストンが前記シリンダーの前記フロント端部に向けて急速に移動することを可能にし、前記シリンダーの中のおよび前記接続されているチャンバーへの圧縮ガスの爆発を提供する、請求項２に記載のコンパクトな改善された殺虫銃。
【請求項４】
前記圧縮ガスリリースメカニズムは、
トリガーであって、前記トリガーは、前記ストックに回転可能に装着されており、湾曲したトリガーリターンスプリングによって反時計回り方向に付勢されており、前記トリガーリターンスプリングは前記ストックの中の湾曲したチャネルによって拘束されている、前記トリガー
をさらに含み、
前記トリガーは上側突出部を有し、前記上側突出部は内部安全ピボットに係合し、前記安全ピボットは、前記コッキングメカニズムの動作が完了していない場合には、前記ラッチングメカニズムのリリースを防止し、
前記トリガーは前記上側突出部の後方に配設された押し上げランプを有し、前記押し上げランプは、前記トリガーが後方に枢動されるときに、下向きに付勢する圧縮スプリングに対抗して、前記ラッチングメカニズムのリリーシングブラケットを上向きに付勢し、
前記リリーシングブラケットは、前記ストックに枢動可能に装着されており、前記ストックの中のノッチの中に配設された上向きを指すトラベル制限アームを有し、また、下向きに面するリブを有しており、前記リブは前記ラッチングメカニズムのメインポールの中の上向きに面する制御ノッチにリリース可能に係合しており、
前記メインポールは、前記ピストンに取り付けられており、リア端部に、前記制御ノッチの後方に配設された上向きに角度の付いたランプを有しており、前記ランプは前記リブを前記制御ノッチの中へガイドし、前記メインポールは、前記コッキングメカニズムの動作の間に、前記ストックの中のチャネルの中で後方に移動し、
前記リリーシングブラケットは、前記リブが前記制御ノッチに係合しているときに、第１のコックされた位置に前記メインポールを保持し、また、前記トリガーが後方に枢動され、前記リリーシングブラケットを押し上げ、前記制御ノッチから前記リブを上昇させるときに、第２の発射された位置へ前記メインポールをリリースし、前記メインポールおよび前記ピストンが、前記圧縮スプリングによって付勢されるのにしたがって前方へ移動し、前記シリンダーを加圧することを可能にする、請求項３に記載のコンパクトな改善された殺虫銃。
【請求項５】
前記発射体ローディングメカニズムは、
メータリングロッドであって、前記メータリングロッドは、前記チャンバーを通る前記垂直方向の円形開口部を通しってシール可能にフィットするようにサイズ決めおよび形状決めされており、また、その下側端部から延在する直交活性化バー、および、前記活性化バーの上方に配設されている貫通穴を有しており、前記貫通穴は、前記バーおよび前記メータリングロッドに直交しており、また、前記バーが停止表面に接触して位置決めされているときに、前記チャンバーと整合するようにサイズ決めおよび配設されている、前記メータリングロッド
をさらに含み、
前記活性化バーは、前記チャンバーの中の前記垂直方向の円形開口部の前記下側端部に寄り掛かり、リターン圧縮スプリングによって上向きに付勢されており、
前記貫通穴は、前記コッキングメカニズムの動作の間に、前記円筒状チャンバーの中の前記チャンバーの上方に配設されているときに、前記微粒子発射体で満たされ、
前記活性化バーは、前記圧縮ガスリリースメカニズムの活性化の後に、前記停止表面に寄り掛かり、枢動可能に装着されている従属ポールによって下向きに付勢され、前記圧縮ガスが前記チャンバーから前記バレルを通して前記微粒子発射体をイジェクトすることを可能にする、請求項４に記載のコンパクトな改善された殺虫銃。
【請求項６】
前記発射体ローディングメカニズムは、
中間チャンバーパイプであって、前記パイプは前記円筒状チャンバーの下側端部から下向きに延在している、前記中間チャンバーパイプと、
リターン圧縮スプリングの１つの端部のためのストップを提供する、前記パイプの下側部分と、
軌道ガイドであって、前記ガイドは、前記円筒状チャンバーの下方に配設されており、前記パイプの周りにスライド可能にフィットするようにサイズ決めされた中空穴を有し、また、垂直方向のスロットを有しており、前記垂直方向のスロットは、前記下側端部から下向きに第１の所定の距離にわたって延在し、停止表面において終端している、前記軌道ガイドと
をさらに含み、
前記軌道ガイドは、前記パイプの周りに配設され、前記発射体貯蔵マガジンの取り付けのためのサポートプラットフォームを提供しており、
前記発射体ローディングメカニズムは、
メータリングロッドであって、前記ロッドは、形状が円筒形状になっており、前記パイプの中にスライド可能にフィットするようにサイズ決めされており、その下側端部から延在する直交活性化バー、および、前記活性化バーの上方に配設されている貫通穴を有しており、前記貫通穴は、前記活性化バーおよび前記メータリングロッドに直交しており、また、前記バーが前記停止表面に接触して位置決めされているときに、前記チャンバーと整合するようにサイズ決めされ、かつ配設されている、前記メータリングロッド
をさらに含み、
前記リターン圧縮スプリングは、前記チャンバーの中の前記垂直方向の円形開口部の前記下側端部に寄り掛かり、前記メータリングロッドを上向きに付勢し、
前記発射体ローディングメカニズムは、
従属ポールであって、前記ポールは、第１の端部および第２の端部を有しており、前記圧縮ガス源のためのカバーに枢動可能に装着されており、前記第１の端部はメータリングスロットを含み、前記メータリングスロットは前記活性化バーを取り囲んでおり、前記第２の端部は、前記コッキングメカニズムの前方移動の間に、カムによって上向きに付勢される、前記従属ポール
をさらに含み、
前記従属ポールの前記第２の端部の上向きの移動は、前記活性化バーを下向きに移動させ、前記リターン圧縮スプリングを圧縮し、前記メータリングロッドの前記貫通穴を前記チャンバーと整合させ、前記圧縮ガスが前記チャンバーから外へ前記バレルを通して前記微粒子発射体を駆動することを可能にし、
前記従属ポールの前記第２の端部の下向きの移動は、前記活性化バーが前記リターン圧縮スプリングによって付勢されるのにしたがって上向きに移動することを引き起こし、前記メータリングロッドが前記微粒子発射体によって取り囲まれている前記発射体貯蔵マガジンの中に移動するときに、前記微粒子発射体は、前記メータリングロッドの前記貫通穴を充填する、請求項５に記載のコンパクトな改善された殺虫銃。
【請求項７】
前記スプリング圧縮メカニズムは、
一次ギヤラックであって、前記ギヤラックは、前記ストックの中のチャネルの中にスライド可能に配設されており、上側表面の上に配設されているギヤ歯を有し、また、スライドハンドルの取り付けのために、前方端部に隣接して装着フィクスチャーを有している、前記一次ギヤラックと、
減速ギヤドライブであって、前記ギヤドライブは前記シリンダーの外側カバーに装着されている、前記減速ギヤドライブと、
二次ギヤラックであって、前記二次ラックは、前記ピストンの下方に取り付けられており、前記減速ギヤドライブの上方に配設されている、前記二次ギヤラックと
をさらに含み、
前記一次ギヤラックは、前記減速ギヤドライブに係合しており、前記減速ギヤドライブは、前記二次ギヤラックに係合しており、
前記スライドハンドルの後方移動は、前記一次ギヤラックを後方へ移動させ、前記減速ギヤドライブを回転させ、前記ピストンを後方へ移動させ、前記圧縮スプリングを圧縮する、請求項６に記載のコンパクトな改善された殺虫銃。
【請求項８】
前記改善された殺虫銃は、
下向きを指すカムローブであって、前記カムローブは前記メータリングスロットの下に前記メータリングスロットに直交して配設されている、前記カムローブと、
カム活性化タブであって、前記タブは前記一次ギヤラックの上側表面の側縁部およびフロント端部に隣接して配設されており、前記活性化タブは輪郭付けされた内側表面を有している、前記カム活性化タブと
をさらに含み、
前記輪郭付けされた内側表面は、前記コッキングメカニズムの動作の間に、前記一次ギヤラックが後方におよび前方に移動させられるときに、前記カムローブのフロント縁部に係合するようにサイズ決め、形状決め、および配設されており、
前記カムローブの係合は、前記コッキングメカニズムの動作の間に、前記メータリングロッドの上向きの移動を引き起こし、前記メータリングロッドの下向きの移動がそれに続き、そのような移動は、前記メータリングロッドに付着している任意の微粒子発射体を取り除く役割を果たす、請求項７に記載のコンパクトな改善された殺虫銃。
【請求項９】
前記コッキングメカニズムの動作の間の前記一次ギヤラックの前方移動の間の前記カム活性化タブによる前記カムローブの係合は、前記動作の完了の聴覚的な確認を提供する、請求項８に記載のコンパクトな改善された殺虫銃。
【請求項１０】
メインポールと協調して移動する制御スロットは、前記制御スロットの後方移動の間に、内部安全ピボットの第１の端部を押し上げられた位置に維持し、前記ピボットの第２の端部が前記圧縮ガスリリースメカニズムのトリガーの上側端部において上側突出部に係合することを引き起こし、それによって、前記メカニズムの活性化を防止し、
前記制御スロットは、前記一次ギヤラックおよび前記制御スロットの前方移動が完了すると、下降した位置への前記内部安全ピボットの前記第１の端部の下向きの移動を引き起こし、前記下向きの移動は、前記トリガーの前記上側突出部のリリースを可能にし、また、前記ガスリリースメカニズムの活性化を可能にする、請求項８に記載のコンパクトな改善された殺虫銃。
【請求項１１】
前記サポートストックは、のぞき窓をさらに含み、前記のぞき窓は、前記マガジンに隣接して位置決めされており、その中に収容されている前記微粒子発射体のレベルを見ることを可能にする、請求項１に記載のコンパクトな改善された殺虫銃。
【請求項１２】
前記コンパクトな改善された殺虫銃は、
コッキングメカニズム制御をさらに含み、
前記コッキングメカニズム制御は、
受け入れノッチであって、前記受け入れノッチは前記コッキングメカニズムの外側サイドレールの中に配設されている、前記受け入れノッチと、
ブロッキング部分であって、前記ブロッキング部分は前記二次ギヤラックの下側に枢動可能に装着されており、前記ブロッキング部分はスプリングによって前記受け入れノッチに向けて付勢されている、前記ブロッキング部分と
を含み、
前記ブロッキング部分は、下側縁部に保持突出部を有しており、前記保持突出部は、前記受け入れノッチに係合するようにサイズ決めおよび形状決めされており、また、前記保持突出部の上方に上向きに延在する角度付きの表面を有しており、
前記コッキングメカニズム制御は、
活性化部分であって、前記活性化部分は前記第１の端部に隣接して前記従属ポールに取り付けられており、前記活性化部分は、前記圧縮ガスリリースメカニズムの活性化のときに、前記従属ポールとともに下向きに移動し、前記ブロッキング部分の前記角度付きの表面の上に支えられ、前記受け入れノッチから外へ前記保持突出部を付勢し、それによって、前記コッキングメカニズムが活性化されることを可能にする、前記活性化部分
をさらに含む、請求項７に記載のコンパクトな改善された殺虫銃。
【請求項１３】
前記改善された殺虫銃は、
レーザーサイティングデバイスをさらに含み、
前記レーザーサイティングデバイスは、
バッテリー給電式レーザーであって、前記レーザーは、レーザー照準スポットを作り出すことができる、前記バッテリー給電式レーザーと、
ハウジングであって、前記ハウジングは前記レーザー、バッテリー電源、および前記レーザーのための制御回路を内包するように適合されている、前記ハウジングと、
前記レーザー照準スポットの照準ポイントのためのエレベーション調節およびウィンデージ調節と、
パワースイッチであって、前記スイッチは前記レーザーへのパワーを制御する、前記パワースイッチと、
取り付けメカニズムであって、前記取り付けメカニズムは、前記バレルの遠位端部に隣接して、前記レーザーサイティングデバイスを取り付けるように適合されている、前記取り付けメカニズムと
を含む、請求項４に記載のコンパクトな改善された殺虫銃。
【請求項１４】
前記取り付けメカニズムは、前記バレルの前記遠位端部と一体的に形成されているか、または、前記レーザーサイティングデバイスを前記バレルの前記遠位端部に取り外し可能に取り付けるように適合されているかのいずれかである、請求項１３に記載のコンパクトな改善された殺虫銃。
【請求項１５】
前記パワースイッチは、前記ハウジングの上に装着されているか、または、前記トリガーと一体化しているかのいずれかであり、前記トリガーの初期の後方移動が、前記パワースイッチの中の回路を完成させ、それによって、前記圧縮ガスリリースメカニズムの活性化の前に、前記レーザー照準スポットを提供する、請求項１３に記載のコンパクトな改善された殺虫銃。
【発明の詳細な説明】
【技術分野】
【０００１】
＜関連出願＞
本出願は、２０１８年２月２７日に出願した、現在継続中のＰＣＴ／ＵＳ１８／１９９０８の一部継続出願であり、このＰＣＴ／ＵＳ１８／１９９０８は、２０１８年４月１０日に米国特許第９，９３９，２２７号として発行された、２０１７年１１月２日に出願した米国出願第１５／８０１，３９３号の一部継続出願であり、米国特許第９，９３９，２２７号は、２０１６年６月２４日に出願した、現在継続中のＰＣＴ／ＵＳ２０１６／０３９２６８の継続である。本出願は、参照によりこれらの出願の開示全体を組み込む。
【０００２】
本発明は、兵器類および昆虫制御の分野に関し、より詳細には有毒化学薬品を使用することなく、一定の距離から昆虫を殺すためのデバイスに関する。
【背景技術】
【０００３】
害虫を処理するための多くの方法およびデバイスが開発されている。飛翔昆虫には、極めて目障りで、ときによっては耳障りであり、また、かみつき、あるいは刺す能力をしばしば有している傾向があるため、多くの人が飛翔昆虫の処理にとりわけ興味を持っている。飛翔昆虫を殺すための従来の手段は、ハエたたきおよびそれらの等価物または化学薬品スプレーなどのデバイスを含む。前者には、実施するための特定の熟練および敏捷性が必要であり、また、後者は、使用される領域に潜在的に有害な化学薬品残留物を残す。本発明はこれらの問題に対処し、また、害虫駆除を仕事とする人に、飛翔昆虫を射殺するために設計された銃の形態で楽しみを提供する。関連する方式で昆虫駆除を提供するために開発された他のデバイスには、以下の発明がある。
【０００４】
Ｋｉｒｓｔｅｎに発行された米国特許第１，６１１，５３３号は昆虫射殺装置を対象としたものであり、ハエなどの様々な家庭昆虫を根絶するために、スプリングロードピストル型デバイスを使用して物質の玉（shot）または滴（bead）を散布する。デバイスは、リンケージメカニズムを介して動作し、また、引き金によるスプリング起動の下でリリースされるピストンを備えた銃またはピストルの形態を取る。前方方向のピストンの動きにより、最終的に、ショット保持ノズルをバレルのテーパ端からリリースする。ショット保持ノズルは、ハエなどの昆虫に散布されるとそれらを根絶する液体を含む。
【０００５】
Ｃｏｍｐａｒｅｔｔｉに発行された米国特許第４，６５３，４３３号は、ピストルの形態を取るノミザッパー（flea zapper）を対象としており、引き金メカニズムによって起動されると、毛むくじゃらの動物に一般的に見られるノミなどの昆虫を制御するための粉末物質をリリースする。ノミザッパーは、ユーザーの指によって操作される引き金を有するピストル型ハンドルを備えたハンドガンの形態を取る。引き金が操作されると、粉末のサンプルが開口を介してバレル部分を通して粉末チャンバーからリリースされ、動物に散布される。
【０００６】
Ｓｗｅｅｎｙらに発行された米国特許第３，７９１，３０３号は、液体充填中空ボールの形態を取る抑止手段を対象としている。発射体アセンブリは、ショットガンの末端の特大管状バレル延長部から発射される。発射体アセンブリは、破裂するとハエまたは他の昆虫を制御することができる抑止手段を含む。
【０００７】
Ｇｅｒａｒｄｏに対して公布された米国特許出願第２００６／０２８３４３３号は、加圧空気を使用した射出装置を対象としている。デバイスは、銃のようなデバイス、空気チャンバーをバレルに接続するコネクタの内側にバルブを有する引き金を備えた空気チャンバーを備える。空気チャンバーには圧縮空気を充填することができ、バレルから発射される対象を銃にロードすると、オペレータはバルブを開いて空気圧をチャンバーから放出し、引き金の操作の下で空気をチャンバーからリリースすることができ、発射体がバレルからリリースされる。
【０００８】
Ｃｌａｒｋに発行された米国特許第７，２０７，４９７号は、加圧ガス源を利用してドライフレークを噴霧するために使用されるドライフレーク噴霧器および方法を対象としている。フレーク噴霧デバイスは、スプレーモジュールおよび銃モジュールを含み、スプレーモジュールは、ガス流コンジットおよびフレークコンジットを有するエンクロージャを備える。ドライフレークのサプライは、引き金が操作されるとエンクロージャ中に置かれて銃に接続される。ガスはノズルを介して制御バルブから流れ、それによりコンジットを介してフレークが散布される。
【０００９】
本出願人であるＭａｇｇｉｏｒｅに発行された米国特許第８，２５１，０５１号は、バレルに接続されたチャンバーに流体接続された圧縮ガス源を含む殺虫銃を対象としている。圧縮ガスリリースメカニズムは圧縮ガス源に接続される。発射体貯蔵マガジンは微粒子発射体を貯蔵し、チャンバーに隣接して配置される。発射体ローディングメカニズムは、発射体をマガジンからチャンバー内へ移動させる。コッキングメカニズムは、圧縮ガス源、圧縮ガスリリースメカニズムおよび発射体ローディングメカニズムに機械的に接続される。ストックは、圧縮ガス源、圧縮ガスリリースメカニズム、バレル、チャンバー、発射体貯蔵マガジン、コッキングメカニズムおよび発射体ローディングメカニズムを収容し、かつ支持する。銃がコックされると、発射体ローディングメカニズムは、所定の分量の微粒子発射体をチャンバー内へロードする。圧縮ガスリリースメカニズムが活性化されると、発射体がチャンバーからバレル内へイジェクトされ、かつ、銃から放出される。
【００１０】
本発明の目的は、飛翔昆虫を殺すためのデバイスを提供することである。他の目的は、昆虫を殺すための非有毒手段を使用したこのようなデバイスを提供することである。本発明のさらに他の目的は、積極的安全特徴を組み込んだ昆虫殺虫デバイスを提供することである。さらに他の目的は、その使用が面白く、かつ、操作が安価なこのようなデバイスを提供することである。別の目的は、有効な昆虫殺虫デバイスをコンパクト形式で提供することである。さらに別の目的は、発射を速やかに反復することができ、その一方で依然として必要な安全特徴を維持することができる昆虫殺虫デバイスを提供することである。最後に、本発明の目的は、耐久性があり、安価で、かつ、ユーザーによる習熟が容易な昆虫殺虫デバイスを提供することである。
【００１１】
本発明の目的のうちのいくつかは、従来技術の中で開示されているが、識別されている要求事項のすべてを含んだ発明は見出されていない。
【００１２】
＜発明の概要＞
本発明は、従来技術の殺虫銃発明のすべての欠陥に対処し、上で説明した目的のすべてを満足する。
【００１３】
（１）所望の特徴を提供するコンパクトな改善された殺虫銃は、以下の構成要素から構築することができる。圧縮ガス源が設けられている。チャンバーが設けられている。チャンバーは圧縮ガス源に流体接続される。バレルが設けられている。バレルはチャンバーの遠位端部に配置される。圧縮ガスリリースメカニズムが設けられている。リリースメカニズムは圧縮ガス源に接続される。発射体貯蔵マガジンが設けられている。マガジンは微粒子発射体を貯蔵し、チャンバーに隣接して配置される。
【００１４】
発射体貯蔵マガジンは円筒状チャンバーを含む。円筒状チャンバーは第１の側の発射体ローディングスロットおよび第２の側の発射体ローディングスロットを有する。ローディングスロットは、円筒状チャンバーの上縁から円筒状チャンバーのベースまで延在する。円筒状チャンバーは、下側端部に円形開口部を有する。下側端部は、チャンバーを通る垂直方向の円形開口部の上側端部にシール可能にフィットされる。長方形の発射体フィーディングトレイが設けられている。フィーディングトレイは、円筒状チャンバーを取り囲んでおり、円筒状チャンバーの外側に微粒子発射体のための追加的な空間を提供する。ヒンジ式で取り付けられた（hingedly attached）シーリング蓋が設けられている。シーリング蓋は、蓋の下側に第１の半円形リッジおよび第２の半円形リッジを有する。リッジは、第１の側の発射体ローディングスロットおよび第２の側の発射体ローディングスロットに隣接して、円筒状チャンバーの上縁を取り囲むように設計されている。シーリング蓋は、下側に周辺チャネルを有する。周辺チャネルは、シーリング蓋が閉位置へ移動したときに長方形の発射体フィーディングトレイをシールするようにサイズ決めされ、形状決めされ、かつ位置付けされている。蓋ラッチングメカニズムが設けられている。蓋ラッチングメカニズムは、シーリング蓋のためのヒンジの反対側に配設される。
【００１５】
発射体ローディングメカニズムが設けられている。ローディングメカニズムは、微粒子発射体をマガジンからチャンバー内へ移動させる。コッキングメカニズムは、圧縮ガス源、圧縮ガスリリースメカニズム、および発射体ローディングメカニズムに機械的に接続されている。自動コッキング状況インジケーターが設けられている。コッキング状況インジケーターは、銃のコッキングの後、上昇した可視位置へ移動し、また、銃の発砲の後、下降した隠れた位置へ移動する。外部の手動安全メカニズムが設けられている。手動安全メカニズムは、銃に対するグリップを維持しつつ、ユーザーによって安全位置から発射位置へ移動可能である。ストックが設けられている。ストックは、圧縮ガス源、圧縮ガスリリースメカニズム、バレル、チャンバー、発射体貯蔵マガジン、コッキングメカニズム、および発射体ローディングメカニズムを収容し、かつ支持する。コッキングメカニズムによって銃がコックされるときに、発射体ローディングメカニズムは、所定の分量の微粒子発射体を集め、発射体をチャンバーの中に置く。圧縮ガスリリースメカニズムが活性化されると、発射体は、チャンバーからバレル内へイジェクトされ、銃から放出される。
【００１６】
（２）変形例では、圧縮ガス源は、事前充填されたＣＯ２カートリッジ、再充填可能な圧縮ガスシリンダー、空気圧ポンプ式のガス貯蔵部、スプリング活性化式の圧縮ガスシステム、および外部圧縮ガスラインを含む群から選択される。
【００１７】
（３）別の変形例では、スプリング活性化式の圧縮ガスシステムは、シリンダーをさらに含む。シリンダーは、フロント端部およびリア端部を有し、フロント端部においてチャンバーに流体接続される。ピストンが設けられている。ピストンは、シリンダーの中にシール可能にフィットして、その中に配置される。圧縮スプリングが設けられている。圧縮スプリングは、ピストンをフロント端部に向けて付勢する。スプリング圧縮メカニズムが設けられている。圧縮メカニズムは、ピストンをリア端部に向けて付勢し、圧縮スプリングを圧縮する。ラッチングメカニズムが設けられている。ラッチングメカニズムは、リア端部に隣接してピストンをリリース可能に保持し、圧縮スプリングを圧縮された状態に保持する。ユーザーが、銃のコッキングアクションを実施し、スプリング圧縮メカニズムが動作し、ピストンがシリンダーのリア端部に向けて付勢され、スプリングが圧縮され、スプリングおよびピストンがリリースされるまでラッチングメカニズムによって保持され、ピストンがシリンダーのフロント端部に向けて急速に移動することを可能にする。これは、シリンダーの中のおよび接続されているチャンバーへの圧縮ガスの爆発を提供する。
【００１８】
（４）さらに別の変形例では、圧縮ガスリリースメカニズムは、トリガーをさらに含む。トリガーは、ストックに回転可能に装着されており、湾曲したトリガーリターンスプリングによって、反時計回り方向に付勢されている。トリガーリターンスプリングは、ストックの中の湾曲したチャネルによって拘束されている。トリガーは、上側突出部を有する。上側突出部は、内部安全ピボットに係合する。安全ピボットは、コッキングアクションが完了していない場合には、ラッチングメカニズムのリリースを防止する。トリガーは、上側突出部の後方に位置する押し上げランプを有する。押し上げランプは、トリガーが後方に枢動されるときに、下向きに付勢する圧縮スプリングに対抗して、ラッチングメカニズムのリリーシングブラケットを上向きに付勢する。リリーシングブラケットは、ストックに枢動可能に装着されており、ストックの中のノッチの中に位置する上向きを指すトラベル制限アームを有する。リリーシングブラケットは、下向きに面するリブを有する。リブは、ラッチングメカニズムのメインポールの中の上向きに面する制御ノッチにリリース可能に係合する。
【００１９】
メインポールは、ピストンに取り付けられており、リア端部に、制御ノッチの後方に位置する上向きに角度の付いたランプを有する。ランプは、リブを制御ノッチの中へガイドする。メインポールは、コッキングアクションの間に、ストックの中のチャネルの中で後方に移動する。リリーシングブラケットは、リブが制御ノッチに係合しているときに、第１のコックされた位置にメインポールを保持する。ブラケットは、トリガーが後方に枢動され、リリーシングブラケットを押し上げ、制御ノッチからリブを上昇させるときに、第２の発射された位置へメインポールをリリースする。これは、メインポールおよびピストンが、圧縮スプリングによって付勢されるのにしたがって前方へ移動し、シリンダーを加圧することを可能にする。
【００２０】
（５）さらなる変形例では、コンテナの下側端部は、シーリングワッシャーを使用して、チャンバーを通る垂直方向の円形開口部の上側端部にシール可能にフィットされている。
【００２１】
（６）一層さらなる変形例では、発射体ローディングメカニズムは、メータリングロッドをさらに含む。メータリングロッドは、チャンバーを通る垂直方向の円形開口部を通ってシール可能にフィットするようにサイズ決めおよび形状決めされており、また、その下側端部から延在する直交活性化バー、および、活性化バーの上方に配設されている貫通穴を有する。貫通穴は、バーおよびメータリングロッドに直交しており、また、バーが停止表面に接触して位置決めされているときに、チャンバーと整合するようにサイズ決めされ、かつ位置付けされている。活性化バーは、チャンバーの中の垂直方向の円形開口部の下側端部に寄り掛かり、リターン圧縮スプリングによって上向きに付勢されている。
【００２２】
貫通穴は、コッキングアクションの間に、円筒状チャンバーの中のチャンバーの上方に位置しているときに、微粒子発射体で満たされる。活性化バーは、圧縮ガスリリースメカニズムの活性化の直後に、停止表面に寄り掛かり、枢動可能に装着されている従属ポールによって下向きに付勢される。これは、圧縮ガスがチャンバーからバレルを通して微粒子発射体をイジェクトすることを可能にする。
【００２３】
（７）本発明の一層さらなる変形例では、発射体ローディングメカニズムは、中間チャンバーパイプをさらに含む。パイプは、円筒状チャンバーの下側端部から下向きに延在している。パイプの下側部分は、リターン圧縮スプリングの１つの端部のためのストップを提供する。軌道ガイドが設けられている。ガイドは、円筒状チャンバーの下側端部の下方に設けられており、パイプの周りにスライド可能にフィットするようにサイズ決めされた中空穴（hollow bore）を有し、また、下側端部から下向きに第１の所定の距離にわたって延在する垂直方向のスロットを有する。スロットは、停止表面において終端する。軌道ガイドは、パイプの周りに設けられ、発射体貯蔵マガジンの取り付けのためのサポートプラットフォームを提供する。メータリングロッドが設けられている。ロッドは、形状が円筒形状になっており、パイプの中にスライド可能にフィットするようにサイズ決めされており、その下側端部から延在する直交活性化バーを有する。メータリングロッドは、活性化バーの上方に配設されている貫通穴を有する。貫通穴は、バーおよびメータリングロッドに直交しており、また、バーが停止表面に接触して位置決めされているときに、チャンバーと整合するようにサイズ決めされ、かつ位置付けされている。リターン圧縮スプリングは、チャンバーの中の垂直方向の円形開口部の下側端部に寄り掛かるメータリングロッドを上向きに付勢する。従属ポールが設けられている。ポールは、第１の端部および第２の端部を有しており、圧縮ガス源のためのカバーに枢動可能に装着されている。従属ポールの第１の端部は、メータリングスロットを含む。メータリングスロットは、活性化バーを取り囲んでいる。従属ポールの第２の端部は、コッキングメカニズムの前方移動の間に、カムによって上向きに付勢される。従属ポールの第２の端部の上向きの移動は、活性化バーを下向きに移動させ、リターン圧縮スプリングを圧縮し、メータリングロッドの貫通穴をチャンバーと整合させる。これは、圧縮ガスがチャンバーの外にバレルを通して微粒子発射体を駆動することを可能にする。従属ポールの第２の端部の下向きの移動は、活性化バーが、リターン圧縮スプリングによって付勢されるのにしたがって上向きに移動することを引き起こす。これは、微粒子発射体によって取り囲まれている発射体貯蔵マガジンの中にそれが移動するときに、メータリングロッドの貫通穴を微粒子発射体で満たすことを可能にする。
【００２４】
（８）別の変形例では、スプリング圧縮メカニズムは、一次ギヤラックをさらに含む。ギヤラックは、ストックの中のチャネルの中にスライド可能に配設されており、上側表面の上に設けられたギヤ歯を有し、また、スライドハンドルの取り付けのために、前方端部に隣接して装着フィクスチャーを有する。減速ギヤドライブが設けられている。ギヤドライブは、シリンダーの外側カバーに装着されている。二次ギヤラックが設けられている。二次ラックは、ピストンの下方に取り付けられており、減速ギヤドライブの上方に位置する。一次ギヤラックは、減速ギヤドライブに係合しており、減速ギヤドライブは、二次ギヤラックに係合している。スライドハンドルの後方移動は、一次ギヤラックを後方へ移動させ、減速ギヤドライブを回転させ、ピストンを後方へ移動させ、圧縮スプリングを圧縮する。
【００２５】
（９）さらに別の変形例では、下向きを指すカムローブが設けられている。カムローブは、メータリングスロットの下に、メータリングスロットに直交して配設されている。カム活性化タブが設けられている。タブは、一次ギヤラックの上側表面の側縁部およびフロント端部に隣接して配設されている。活性化タブは、輪郭付けされた内側表面を有する。輪郭付けされた内側表面は、コッキングメカニズムの動作の間に、一次ギヤラックが後方におよび前方に移動させられるときに、カムローブのフロント縁部に係合するようにサイズ決めされ、形状決めされ、かつ位置付けされている。カムローブの係合は、コッキングメカニズムの動作の間に、メータリングロッドの上向きの移動を引き起こし、メータリングロッドの下向きの移動がそれに続く。そのような移動は、メータリングロッドに付着している任意の微粒子発射体を取り除く役割を果たす。
【００２６】
（１０）さらなる変形例では、コッキングメカニズムの動作の間の一次ギヤラックの前方移動の間のカム活性化タブによるカムローブの係合は、動作の完了の聴覚的な確認を提供する。
【００２７】
（１１）一層さらなる変形例では、メインポールと協調して移動する制御スロットは、制御スロットの後方移動の間に、内部安全ピボットの第１の端部を押し上げられた位置に維持する。これは、ピボットの第２の端部が圧縮ガスリリースメカニズムのトリガーの上側端部において上側突出部に係合することを引き起こし、それによって、メカニズムの活性化を防止する。制御スロットは、一次ギヤラックおよび制御スロットの前方移動が完了すると、下降した位置への内部安全ピボットの第１の端部の下向きの移動を引き起こす。下向きの移動は、トリガーの上側突出部のリリースを可能にするとともに、ガスリリースメカニズムの活性化を可能にする。
【００２８】
（１２）一層さらなる変形例では、サポートストックは、のぞき窓（sight glass）をさらに含む。のぞき窓は、マガジンに隣接して位置決めされており、マガジンの中に収容されている微粒子発射体のレベルを見ることを可能にする。
【００２９】
（１３）一層さらなる変形例では、コッキングメカニズム制御が設けられている。コッキングメカニズム制御は、受け入れノッチを含む。受け入れノッチは、コッキングメカニズムの外側サイドレールの中に配設される。ブロッキング部分が設けられている。ブロッキング部分は、二次ギヤラックの下側に枢動可能に装着されている。ブロッキング部分は、スプリングによって受け入れノッチに向けて付勢されている。ブロッキング部分は、下側縁部に保持突出部を有する。保持突出部は、受け入れノッチに係合するようにサイズ決めおよび形状決めされており、また、該保持突出部の上方に上向きに延在する角度付きの表面を有する。活性化部分が設けられている。活性化部分は、第１の端部に隣接して従属ポールに取り付けられている。活性化部分は、圧縮ガスリリースメカニズムの活性化のときに、従属ポールとともに下向きに移動する。活性化部分は、ブロッキング部分の角度付きの表面の上に支えられ、受け入れノッチから外へ保持突出部を付勢し、それによって、コッキングメカニズムが活性化されることを可能にする。
【００３０】
（１４）別の変形例では、銃は、圧縮ガス源として事前充填されたＣＯ２カートリッジを使用し、銃は、円筒形状のカートリッジチャンバーをさらに含む。カートリッジチャンバーは、ＣＯ２カートリッジを封入するようにサイズ決めおよび形状決めされており、カートリッジの導入のために、第１の端部にシール可能な開口部を有する。第２の端部に位置する凹状シートが設けられている。シートは、カートリッジの放出端部の周りにシール可能にフィットするようにサイズ決めおよび形状決めされている。中空の穿刺針が、シートの中に配設されている。シーリングキャップが設けられている。キャップは、ねじ山を嵌め合わせることによって、カートリッジチャンバーに脱着可能に装着される。キャップを締め付けることは、穿刺針に対してカートリッジを付勢する。圧力容器が設けられている。圧力容器は、メータリングデバイスに流体接続されている。メータリングデバイスは、圧縮ガスリリースメカニズムの活性化のときに、所定の分量の圧縮ガスがチャンバーに進入することを可能にする。
【００３１】
（１５）さらに別の変形例では、圧縮ガスリリースメカニズムは、トリガーをさらに含む。トリガーは、ストックに回転可能に装着されており、湾曲したトリガーリターンスプリングによって反時計回り方向に付勢されている。トリガーリターンスプリングは、ストックの中の湾曲したチャネルによって拘束されている。トリガーは、上側突出部を有する。上側突出部は、内部安全ピボットに係合する。安全ピボットは、コッキングアクションが完了していない場合には、ラッチングメカニズムのリリースを防止する。トリガーは、上側突出部の後方に位置する押し上げランプを有する。押し上げランプは、トリガーが後方に枢動されるときに、下向きに付勢する圧縮スプリングに対抗して、ラッチングメカニズムのリリーシングブラケットを上向きに付勢する。リリーシングブラケットは、ストックに取り付けられたフィッティングの上で枢動し、ストックの中のノッチの中に配設された上向きを指すトラベル制限アームを有し、また、下向きに面するリブを有する。リブは、ローディングロッドの中の上向きに面する制御ノッチにリリース可能に係合する。ローディングロッドは、ローディングコイルスプリングによって前方へ付勢されており、リア端部に、制御ノッチの後方に位置する上向きに角度の付いたランプを有する。
【００３２】
ローディングロッドは、コッキングアクションの間に、ストックの中のチャネルの中で後方に移動する。リリーシングブラケットは、リブが制御ノッチに係合しているときに、第１のコックされた位置にローディングロッドを保持する。リリーシングブラケットは、トリガーが後方に移動させられ、リリーシングブラケットを押し上げ、制御ノッチからリブを上昇させるときに、第２の発射された位置へローディングロッドをリリースする。これは、ローディングロッドが、ローディングコイルスプリングによって付勢されるのにしたがって前方へ移動することを可能にする。ローディングロッドは、発射体ローディングメカニズムおよびメータリングデバイスを活性化させる。
【００３３】
（１６）本発明のさらに別の変形例では、銃は、圧縮ガス源として空気圧ポンプ式の空気貯蔵部を使用し、銃は、ガスシリンダーをさらに含む。シリンダーは、入口弁および出口弁を有する。ピストンが設けられている。ピストンは、シリンダーの中にシール可能にフィットする。ポンピングメカニズムが設けられている。ポンピングメカニズムは、ピストンに機械的に結合され、ピストンをシリンダーの中の拡張位置から圧縮位置へ移動させる。入口弁は、ピストンが圧縮位置から拡張位置へ移動するときには開位置にあり、ピストンが拡張位置から圧縮位置へ移動するときには閉位置にある。出口弁は、ピストンが圧縮位置から拡張位置へ移動するときには閉位置にあり、ピストンが拡張位置から圧縮位置へ移動するときに開位置にある。
【００３４】
空気貯蔵部は、出口弁およびチャンバーに流体接続されている。発射体ローディングメカニズムは、圧縮ガスリリースメカニズムの活性化のときに、所定の分量の圧縮ガスがチャンバーに進入することを可能にする。ポンピングメカニズムによるシリンダーの中での拡張位置から圧縮位置へのピストンの繰り返される移動は、空気貯蔵部の中の圧力を増大させ、圧縮ガスリリースメカニズムによって圧力が解放されたときに、増加した力によって微粒子発射体がチャンバーからイジェクトされることを可能にする。
【００３５】
（１７）さらなる変形例では、圧縮ガスリリースメカニズムは、トリガーをさらに含む。トリガーは、ストックに回転可能に装着されており、湾曲したトリガーリターンスプリングによって、反時計回り方向に付勢されている。トリガーリターンスプリングは、ストックの中の湾曲したチャネルによって拘束されている。トリガーは、上側突出部を有する。上側突出部は、内部安全ピボットに係合する。安全ピボットは、コッキングアクションが完了していない場合には、ラッチングメカニズムのリリースを防止する。トリガーは、上側突出部の後方に位置する押し上げランプを有する。押し上げランプは、トリガーが後方に枢動されるときに、下向きに付勢する圧縮スプリングに対抗して、ラッチングメカニズムのリリーシングブラケットを上向きに付勢する。リリーシングブラケットは、ストックに取り付けられたフィッティングの上で枢動し、ストックの中のノッチの中に配設された上向きを指すトラベル制限アームを有し、また、下向きに面するリブを有する。リブは、ローディングロッドの中の上向きに面する制御ノッチにリリース可能に係合する。ローディングロッドは、ローディングコイルスプリングによって前方へ付勢されており、リア端部に、制御ノッチの後方に位置する上向きに角度の付いたランプを有する。ランプは、リブを制御ノッチの中へガイドする。
【００３６】
ローディングロッドは、コッキングアクションの間に、ストックの中のチャネルの中で後方に移動する。リリーシングブラケットは、リブが制御ノッチに係合しているときに、第１のコックされた位置にローディングロッドを保持する。リリーシングブラケットは、トリガーが後方に移動させられ、リリーシングブラケットを押し上げ、制御ノッチからリブを上昇させるときに、第２の発射された位置へローディングロッドをリリースする。これは、ローディングロッドが、ローディングコイルスプリングによって付勢されるのにしたがって前方へ移動することを可能にする。ローディングロッドは、発射体ローディングメカニズムおよびメータリングデバイスを活性化させる。
【００３７】
（１８）一層さらなる変形例では、銃は、圧縮ガス源として再充填可能な圧縮ガスシリンダーを使用する。シリンダーは、第１の端部に隣接して位置する遮断弁および取り付けフィッティングを有する。嵌合取り付けフィッティングが設けられている。嵌合フィッティングは、サポートストックに装着されており、また、メータリングデバイスに流体接続されている。メータリングデバイスは、チャンバーに流体接続されており、メータリングデバイスは、圧縮ガスリリースメカニズムの活性化のときに、所定の分量の圧縮ガスがチャンバーに進入することを可能にする。チャージされた再充填可能な圧縮ガスシリンダーが、嵌合取り付けフィッティングに取り付けられており、圧縮ガスリリースメカニズムの活性化のときに、遮断弁が開けられ、圧縮ガスがメータリングデバイスによってリリースされる。
【００３８】
（１９）一層さらなる変形例では、圧縮ガスリリースメカニズムは、トリガーをさらに含む。トリガーは、ストックに回転可能に装着されており、湾曲したトリガーリターンスプリングによって、反時計回り方向に付勢されている。トリガーリターンスプリングは、ストックの中の湾曲したチャネルによって拘束されている。トリガーは、上側突出部を有する。上側突出部は、内部安全ピボットに係合する。安全ピボットは、コッキングアクションが完了していない場合には、ラッチングメカニズムのリリースを防止する。トリガーは、上側突出部の後方に位置する押し上げランプを有する。押し上げランプは、トリガーが後方に枢動されるときに、下向きに付勢する圧縮スプリングに対抗して、ラッチングメカニズムのリリーシングブラケットを上向きに付勢する。リリーシングブラケットは、ストックに取り付けられているフィッティングの上で枢動し、ストックの中のノッチの中に配設された上向きを指すトラベル制限アームを有し、また、下向きに面するリブを有する。リブは、ローディングロッドの中の上向きに面する制御ノッチにリリース可能に係合する。ローディングロッドは、ローディングコイルスプリングによって前方へ付勢されており、リア端部に制御ノッチの後方に位置する上向きに角度の付いたランプを有する。ランプは、リブを制御ノッチの中へガイドする。
【００３９】
ローディングロッドは、コッキングアクションの間に、ストックの中のチャネルの中で後方に移動する。リリーシングブラケットは、リブが制御ノッチに係合しているときに、第１のコックされた位置にローディングロッドを保持する。リリーシングブラケットは、トリガーが後方に移動させられ、リリーシングブラケットを押し上げ、制御ノッチからリブを上昇させるときに、第２の発射された位置へローディングロッドをリリースする。これは、ローディングロッドがローディングコイルスプリングによって付勢されるのにしたがって前方へ移動することを可能にする。ローディングロッドは、発射体ローディングメカニズムおよびメータリングデバイスを活性化させる。
【００４０】
（２０）別の変形例では、銃は、圧縮ガス源として外部圧縮ガスラインを使用し、銃は、外部圧縮ガスラインをさらに含む。ラインは、圧縮ガス源に接続され、第１の端部に隣接して位置する遮断弁および取り付けフィッティングを有する。嵌合取り付けフィッティングが設けられている。嵌合フィッティングは、サポートストックに装着されており、また、メータリングデバイスに流体接続されている。メータリングデバイスは、チャンバーに流体接続される。メータリングデバイスは、圧縮ガスリリースメカニズムの活性化のときに、所定の分量の圧縮ガスがチャンバーに進入することを可能にする。外部圧縮ガスラインは、嵌合取り付けフィッティングに取り付けられており、圧縮ガスリリースメカニズムの活性化のときに、遮断弁が開けられ、圧縮ガスがメータリングデバイスによってリリースされる。
【００４１】
（２１）さらに別の変形例では、圧縮ガスリリースメカニズムは、トリガーをさらに含む。トリガーは、ストックに回転可能に装着されており、湾曲したトリガーリターンスプリングによって、反時計回り方向に付勢されている。トリガーリターンスプリングは、ストックの中の湾曲したチャネルによって拘束されている。トリガーは、上側突出部を有する。上側突出部は、内部安全ピボットに係合する。安全ピボットは、コッキングアクションが完了していない場合には、ラッチングメカニズムのリリースを防止する。トリガーは、上側突出部の後方に位置する押し上げランプを有する。押し上げランプは、トリガーが後方に枢動されるときに、下向きに付勢する圧縮スプリングに対抗して、ラッチングメカニズムのリリーシングブラケットを上向きに付勢する。リリーシングブラケットは、ストックに取り付けられたフィッティングの上で枢動し、ストックの中のノッチの中に位置する上向きを指すトラベル制限アームを有し、また、下向きに面するリブを有する。リブは、ローディングロッドの中の上向きに面する制御ノッチにリリース可能に係合する。ローディングロッドは、ローディングコイルスプリングによって前方へ付勢されており、リア端部に制御ノッチの後方に位置する上向きに角度の付いたランプを有する。ランプは、リブを制御ノッチの中へガイドする。
【００４２】
ローディングロッドは、コッキングアクションの間に、ストックの中のチャネルの中で後方に移動する。リリーシングブラケットは、リブが制御ノッチに係合しているときに、第１のコックされた位置にローディングロッドを保持する。リリーシングブラケットは、トリガーが後方に移動させられ、リリーシングブラケットを押し上げ、制御ノッチからリブを上昇させるときに、第２の発射された位置へローディングロッドをリリースする。これは、ローディングロッドが、ローディングコイルスプリングによって付勢されるのにしたがって前方へ移動することを可能にする。ローディングロッドは、発射体ローディングメカニズムおよびメータリングデバイスを活性化させる。
【００４３】
（２２）本発明のさらに別の変形例では、サポートストックのピストルグリップおよびフォアアームは、平坦化された下側表面を有する。平坦化された表面は、微粒子発射体を発射体貯蔵マガジンに追加するために、殺虫銃が直立位置にバランスされることを可能にする。
【００４４】
（２３）本発明のさらなる変形例では、改善された殺虫銃は、レーザーサイティングデバイスをさらに含む。レーザーサイティングデバイスは、バッテリー給電式レーザーを含む。レーザーは、レーザー照準スポットを作り出すことができる。ハウジングが設けられている。ハウジングは、レーザー、バッテリー電源、およびレーザーのための制御回路を内包するように適合されている。取り付けメカニズムが設けられている。取り付けメカニズムは、バレルの遠位端部に隣接して、レーザーサイティングデバイスを取り付けるように適合されている。
【００４５】
（２４）一層さらなる変形例では、取り付けメカニズムは、バレルの遠位端部と一体的に形成される。
【００４６】
（２５）一層さらなる変形例では、取り付けメカニズムは、レーザーサイティングデバイスをバレルの遠位端部に取り外し可能に取り付けるように適合されている。
【００４７】
（２６）別の変形例では、レーザー照準器は、レーザー照準スポットの照準ポイントのためのエレベーション調節およびウィンデージ調節を含む。
【００４８】
（２７）さらに別の変形例では、パワースイッチが設けられている。スイッチは、レーザーへのパワーを制御している。
【００４９】
（２８）さらに別の変形例では、パワースイッチは、ハウジングの上に装着される。
【００５０】
（２９）本発明の最終的な変形例では、パワースイッチは、トリガーと一体になっている。トリガーの初期の後方移動は、パワースイッチの中の回路を完成させ、それによって、圧縮ガスリリースメカニズムの活性化の前に、レーザー照準スポットを提供する。
【００５１】
本発明の他の目標および目的の認識、ならびに、それを理解することは、添付の図面および好適な実施形態の詳細な説明を参照するとことによって実現され得る。
【図面の簡単な説明】
【００５２】
【図１】マガジンおよびのぞき窓の実例を含む本発明の好ましい実施形態の斜視図である。
【図２】発射位置における発射体ローディングメカニズムを示し、また、ピストルグリップおよびフォアアームならびに外部安全装置の平坦化された下部表面を示す図１の実施形態の側面断面図である。
【図３】ローディング位置における発射体ローディングメカニズムを示す図１の実施形態の側面断面図である。
【図３Ａ】コッキング中のコッキングメカニズム制御を示す図１の実施形態の側面断面図である。
【図３Ｂ】コッキング中のコッキングメカニズム制御を示す図１の実施形態の一部の拡大側面断面図である。
【図３Ｃ】受け入れノッチ、ブロッキング部分および活性化部分のアクションを示すコッキングメカニズム制御の拡大斜視図である。
【図３Ｄ】受け入れノッチ内のブロッキング部分を示す、線３Ｄ−３Ｄに沿ったブロッキング部分および受け入れノッチの拡大断面図である。
【図３Ｅ】受け入れノッチから外れたブロッキング部分を示す、線３Ｄ−３Ｄに沿ったブロッキング部分および受け入れノッチの拡大断面図である。
【図４】銃が発射された後のトリガーおよびラッチングメカニズムの詳細を示す図１の実施形態の部分側面断面図である。
【図５】発射する準備が整った銃のトリガーおよびラッチングメカニズムの詳細を示す図１の実施形態の部分側面断面図である。
【図６】銃が発射される際のメカニズムの動きを示すトリガーおよびラッチングメカニズムの詳細を示す図１の実施形態の部分側面断面図である。
【図７】従属ポールおよびメータリングスロットが下げられた位置にある発射位置における発射体ローディングメカニズムを示す図１の実施形態の拡大側面断面図である。
【図８】従属ポールおよびメータリングスロットが上昇させた位置にあるローディング位置における発射体ローディングメカニズムを示す図１の実施形態の拡大側面断面図である。
【図９】発射位置における発射体貯蔵マガジンおよび発射体ローディングメカニズムの直交断面詳細図である。
【図１０】発射体ローディング位置における発射体貯蔵マガジンおよび発射体ローディングメカニズムの直交断面詳細図である。
【図１１】ムシ銃が発射される際のスプリング活性化式の圧縮ガスチャンバーを示す図１の実施形態の側断面図である。
【図１２】ムシ銃がコックされた位置にあるスプリング活性化式の圧縮ガスチャンバーを示す図１の実施形態の側断面図である。
【図１３】発射に先立つトリガーの動きのブロック解除を示す、発射位置における図１の実施形態の手動安全構成要素を示す図である。
【図１４】トリガーの動きのブロックを示す、安全位置における図１の実施形態の手動安全構成要素を示す図である。
【図１５】ピストルグリップおよびフォアアームならびに外部安全装置の平坦化された下部表面を示す図１の実施形態の側面図である。
【図１６】統合レーザーサイティングデバイスを有する図１の実施形態の側面図である。
【図１７】アセンブリおよび照準制御の詳細を含むレーザーサイティングデバイスの取り外し可能バージョンの分解斜視図である。
【図１８】トリガー動作オン／オフスイッチの詳細図である。
【図１９】コックされた位置におけるメータリングデバイスおよびラッチングメカニズムを示すムシ銃のＣＯ２動力の実施形態の側断面図である。
【図２０】発射された位置におけるメータリングデバイスおよびラッチングメカニズムを示すムシ銃のＣＯ２動力の実施形態の側断面図である。
【図２１】シリンダーの取り付けおよびメータリングデバイスへの接続を示すムシ銃の再充填可能な空気シリンダー動力の実施形態の側断面図である。
【図２２】ポンピングメカニズムおよびメータリングデバイスへのバルブ切り換え接続（valving connecting）を示すムシ銃の空気圧ポンプ式の動力の実施形態の側断面図である。
【図２３】ガスラインの取り付けおよびメータリングデバイスへの接続を示すムシ銃の外部圧縮ガスライン動力の実施形態の側断面図である。
【発明を実施するための形態】
【００５３】
（１）図１〜２３は、以下の構成要素から構築することができる所望の特徴を提供するコンパクトな改善された殺虫銃１０を示したものである。図１１および図１２に示されているように、圧縮ガス源１４が設けられている。チャンバー１８が設けられている。チャンバー１８は圧縮ガス源１４に流体接続される。バレル２２が設けられている。バレル２２はチャンバー１８の遠位端２６に配置される。図４〜図６に示されているように、圧縮ガスリリースメカニズム３０が設けられている。リリースメカニズム３０は圧縮ガス源１４に接続される。図１〜図３、図１１および図１２に示されているように、発射体貯蔵マガジン３４が設けられている。マガジン３４は微粒子発射体３８を貯蔵し、チャンバー１８に隣接して配置される。
【００５４】
図７〜図１０に示されているように、発射体貯蔵マガジン３４は円筒状チャンバー３６を含む。円筒状チャンバー３６は、第１の側の発射体ローディングスロット４０および第２の側の発射体ローディングスロット４４を有する。ローディングスロット４０、４４は、円筒状チャンバー３６の上縁４８から円筒状チャンバー３６のベース５２まで延在する。円筒状チャンバー３６は、下側端部６０に円形開口部５６を有する。下側端部６０は、チャンバー１８を通る垂直方向の円形開口部６８の上側端部６４にシール可能にフィットされる。長方形の発射体フィーディングトレイ７２が設けられている。フィーディングトレイ７２は、円筒状チャンバー３６を取り囲み、円筒状チャンバー３６の外側に微粒子発射体３８のための追加的な空間７６を提供する。ヒンジ式で取り付けられた（hingedly attached）シーリング蓋８０が設けられている。シーリング蓋８０は、蓋８０の下側９２に第１の半円形リッジ８４および第２の半円形リッジ８８を有する。リッジ８４、８８は、第１の側の発射体ローディングスロット４０および第２の側の発射体ローディングスロット４４に隣接して、円筒状チャンバー３６の上縁９６、１００を取り囲むように設計されている。シーリング蓋８０は、下側９２に周辺チャネル１０４を有する。周辺チャネル１０４は、シーリング蓋８０が閉位置１０８へ移動したときに長方形の発射体フィーディングトレイ７２をシールするように、サイズ決めされ、形状決めされ、かつ位置付けされる。蓋ラッチングメカニズム１１２が設けられている。蓋ラッチングメカニズム１１２は、シーリング蓋８０のためのヒンジ１１６の反対側に配設される。
【００５５】
図２、図３および図７〜図１０に示されているように、発射体ローディングメカニズム４２が設けられている。ローディングメカニズム４２は、微粒子発射体３８をマガジン３４からチャンバー１８内へ移動させる。コッキングメカニズム４６は、圧縮ガス源１４、圧縮ガスリリースメカニズム３０、および発射体ローディングメカニズム４２に機械的に接続される。図２および図３に示されているように、自動コッキング状況インジケーター７８が設けられている。コッキング状況インジケーター７８は、銃１０のコッキングの後、上昇した可視位置８６へ移動し、また、銃１０の発砲の後、下降した隠れた位置８２へ移動する。図１〜図６および図１３〜図１４に示されているように、外部の手動安全メカニズム５４が設けられている。手動安全メカニズム５４は、銃１０に対するグリップを維持しつつ、ユーザーによって安全位置７０から発射位置７４へ移動可能である。ストック５０が設けられている。ストック５０は、圧縮ガス源１４、圧縮ガスリリースメカニズム３０、バレル２２、チャンバー１８、発射体貯蔵マガジン３４、コッキングメカニズム４６、および発射体ローディングメカニズム４２を収容し、かつ支持する。コッキングメカニズム４６によって銃１０がコックされるときに、発射体ローディングメカニズム４２は、所定の分量の微粒子発射体３８を集め、発射体３８をチャンバー１８内に置く。圧縮ガスリリースメカニズム３０が活性化されると、発射体３８は、チャンバー１８からバレル２２内へイジェクトされ、銃１０から放出される。
【００５６】
（２）別の変形例では、圧縮ガス源１４は、図１９および図２０に示されている事前充填されたＣＯ２カートリッジ８８、図２１に示されている再充填可能な圧縮ガスシリンダー９０、図２２に示されている空気圧ポンプ式の空気貯蔵部９４、図１１および図１２に示されているスプリング活性化式の圧縮ガスシステム９８、および図２３に示されている外部圧縮ガスライン１０２を含む群から選択される。
【００５７】
（３）さらに別の変形例では、図１１および図１２に示されているように、スプリング活性化式の圧縮ガスシステム９８は、シリンダー１０６をさらに含む。シリンダー１０６は、フロント端部１１０およびリア端部１１４を有し、フロント端部１１０においてチャンバー１８に流体接続される。ピストン１１８が設けられている。ピストン１１８は、シリンダー１０６の中にシール可能にフィットして、その中に配置される。圧縮スプリング１２２が設けられている。圧縮スプリング１２２は、ピストン１１８をフロント端部１１０に向けて付勢する。スプリング圧縮メカニズム１２６が設けられている。圧縮メカニズム１２６は、ピストン１１８をリア端部１１４に向けて付勢し、スプリング１２２を圧縮する。図４〜図６に示されているように、ラッチングメカニズム１３０が設けられている。ラッチングメカニズム１３０は、リア端部１１４に隣接してピストン１１８をリリース可能に保持し、圧縮スプリング１２２を圧縮された状態１３４に保持する。ユーザーが、銃のコッキングアクションを実施し、スプリング圧縮メカニズム１２６が動作し、ピストン１１８がシリンダー１０６のリア端部１１４に向けて付勢され、スプリング１２２が圧縮され、スプリング１２２およびピストン１１８がリリースされるまでラッチングメカニズム１３０によって保持され、ピストン１１８がシリンダー１０６のフロント端部１１０に向けて急速に移動することを可能にする。これは、シリンダー１０６の中のおよび接続されているチャンバー１８への圧縮ガス１３８の爆発を提供する。
【００５８】
（４）さらに他の変形例では、図４〜図６に示されているように、圧縮ガスリリースメカニズム３０は、トリガー１４２をさらに含む。トリガー１４２は、ストック５０に回転可能に装着されており、湾曲したトリガーリターンスプリング５２によって、反時計回り方向に付勢されている。トリガーリターンスプリング５２は、ストック５０の中の湾曲したチャネル５６によって拘束されている。トリガー１４２は、上側突出部１５０を有する。上側突出部１５０は、内部安全ピボット１５４に係合する。安全ピボット１５４は、コッキングアクションが完了していない場合には、ラッチングメカニズム１３０のリリースを防止する。トリガー１４２は、上側突出部１５０の後方に位置する押し上げランプ１５８を有する。押し上げランプ１５８は、トリガー１４２が後方に枢動されるときに、下向きに付勢する圧縮スプリング１６６に対抗して、ラッチングメカニズム１３０のリリーシングブラケット１６２を上向きに付勢する。リリーシングブラケット１６２は、ストック５０に装着されたフィッティング１７０の上で枢動し、ストック５０の中のノッチ１６８の中に位置する上向きを指すトラベル制限アーム１６４を有し、また、下向きに面するリブ１７４を有する。リブ１７４は、ラッチングメカニズム１３０のメインポール１８２の中の上向きに面する制御ノッチ１７８にリリース可能に係合する。
【００５９】
図１１および図１２に示されているように、メインポール１８２は、ピストン１１８に取り付けられており、リア端部１９０に、制御ノッチ１７８の後方に位置する上向きに角度の付いたランプ１８６を有する。ランプ１８６は、リブ１７４を制御ノッチ１７８の中へガイドする。メインポール１８２は、図４〜図６に示されているように、コッキングアクションの間に、ストック５０の中のチャネル１９４の中で後方に移動する。リリーシングブラケット１６２は、リブ１７４が制御ノッチ１７８に係合しているときに、第１のコックされた位置１９８にメインポール１８２を保持する。ブラケット１６２は、トリガー１４２が後方に枢動され、リリーシングブラケット１６２を押し上げ、制御ノッチ１７８からリブ１７４を上昇させるときに、第２の発射された位置２０２へメインポール１８２をリリースする。これは、メインポール１８２およびピストン１１８が、テンションスプリング１２２によって付勢されるのにしたがって前方へ移動し、シリンダー１０６を加圧することを可能にする。
【００６０】
（５）さらなる変形例では、図９および図１０に示されているように、下側端部６０は、シーリングワッシャー１２０を使用して、チャンバー１８を通る垂直方向の円形開口部６８の上側端部６４にシール可能にフィットされている。
【００６１】
（６）一層さらなる変形例では、図２、図３、図７〜図１２に示されているように、発射体ローディングメカニズム４２は、メータリングロッド２３４をさらに含む。メータリングロッド２３４は、チャンバー１８を通る垂直方向の円形開口部６８を通ってシール可能にフィットするようにサイズ決めおよび形状決めされており、また、その下側端部２４２から延在する直交活性化バー２３８、および、活性化バー２３８の上方に配設されている貫通穴２４６を有する。貫通穴２４６は、バー２３８およびメータリングロッド２３４に直交しており、また、バー２３８が停止表面２５０に接触して位置決めされているときに、チャンバー１８と整合するようにサイズ決めされ、かつ位置付けされている。活性化バー２３８は、チャンバー１８の中の垂直方向の円形開口部６８の下側端部２５８に寄り掛かり、圧縮スプリング２５４によって上向きに付勢されている。
【００６２】
貫通穴２４６は、コッキングアクションの間に、円筒状チャンバー３６の中のチャンバー１８の上方に位置しているときに、微粒子発射体３８で満たされる。活性化バー２３８は、圧縮ガスリリースメカニズム３０の活性化の直後に、停止表面２５０に寄り掛かり、枢動可能に装着されている従属ポール２６２によって下向きに付勢される。これは、圧縮ガス１３８が、チャンバー１８からバレル２２を通して微粒子発射体３８をイジェクトすることを可能にする。
【００６３】
（７）本発明の別の変形例では、発射体ローディングメカニズム４２は、中間チャンバーパイプ２６６をさらに含む。パイプ２６６は、円筒状チャンバー３６の下側端部６０から下向きに延在している。パイプ２６６の下側部分２８２は、リターン圧縮スプリング２５４の１つの端部２９０のためのストップ２８６を提供する。軌道ガイド２９８が設けられている。ガイド２９８は、円筒状チャンバー３６の下側端部６０の下方に設けられており、パイプ２６６の周りにスライド可能にフィットするようにサイズ決めされた中空穴（hollow bore）３０２を有し、また、下側端部６０から下向きに第１の所定の距離３０８にわたって延在する垂直方向のスロット３０６を有する。スロット３０６は、停止表面２５０において終端する。軌道ガイド２９８は、パイプ２６６の周りに設けられ、発射体貯蔵マガジン３４の取り付けのためのサポートプラットフォーム３１０を提供する。メータリングロッド２３４が設けられている。ロッド２３４は、形状が円筒形状になっており、パイプ２６６の中にスライド可能にフィットするようにサイズ決めされており、その下側端部２４２から延在する直交活性化バー２３８を有する。メータリングロッド２３４は、活性化バー２３８の上方に配設されている貫通穴２４６を有する。貫通穴２４６は、バー２３８およびメータリングロッド２３４に直交しており、また、バー２３８が停止表面２５０に接触して位置決めされているときに、チャンバー１８と整合するようにサイズ決めされ、かつ位置付けされている。リターン圧縮スプリング２５４は、チャンバー１８の中の垂直方向の円形開口部６８の下側端部２５８に寄り掛かるメータリングロッド２３４を上向きに付勢する。従属ポール２６２が設けられている。ポール２６２は、第１の端部３１４および第２の端部３１８を有しており、圧縮ガス源１４のためのカバー３２２に枢動可能に装着されている。従属ポール２６２の第１の端部３１４は、活性化バー２３８を取り囲むメータリングスロット２６４を含む。従属ポール２６２の第２の端部３１８は、ガスリリースメカニズム３０の活性化のときに、コッキングメカニズム４６の前方移動の間に、カム３３０によって上向きに付勢される。従属ポール２６２の第２の端部３１８の上向きの移動は、活性化バー２３８を下向きに移動させ、リターン圧縮スプリング２５４を圧縮し、メータリングロッド２３４の貫通穴２４６をチャンバー１８と整合させる。これは、圧縮ガス１３８が、チャンバー１８の外にバレル２２を通して微粒子発射体３８を駆動することを可能にする。従属ポール２６２の第２の端部３１８の下向きの移動は、活性化バー２３８が、リターン圧縮スプリング２５４によって付勢されるのにしたがって上向きに移動することを引き起こす。これは、微粒子発射体３８によって取り囲まれている発射体貯蔵マガジン３４の中にそれが移動するときに、メータリングロッド２３４の貫通穴２４６を微粒子発射体３８で満たすことを可能にする。
【００６４】
（８）さらに別の変形例では、図１〜図６、図１１および図１２に示されているように、スプリング圧縮メカニズム１２６は、一次ギヤラック３３４をさらに含む。ギヤラック３３４は、ストック５０の中のチャネル３３８の中にスライド可能に配設されており、上側表面３４６の上に設けられたギヤ歯３４２を有し、また、スライドハンドル３５８の取り付けのために、前方端部３５４に隣接して装着フィクスチャー３５０を有する。減速ギヤドライブ３６２が設けられている。ギヤドライブ３６２は、シリンダー１０６の外側カバー３２２に装着されている。二次ギヤラック３７０が設けられている。二次ラック３７０は、ピストン１１８の下方に取り付けられており、減速ギヤドライブ３６２の上方に位置する。一次ギヤラック３３４は、減速ギヤドライブ３６２に係合しており、減速ギヤドライブ３６２は、二次ギヤラック３７０に係合している。スライドハンドル３５８の後方移動は、一次ギヤラック３３４を後方へ移動させ、減速ギヤドライブ３６２を回転させ、ピストン１１８を後方へ移動させ、圧縮スプリング１２２を圧縮する。
【００６５】
（９）さらに別の変形例では、図７および図８、図１１、図１２に示されているように、下向きを指すカムローブ２６８が設けられている。カムローブ２６８は、メータリングスロット２６４の下に、メータリングスロット２６４に直交して配設されている。カム活性化タブ２７２が設けられている。タブ２７２は、一次ギヤラック３３４の上側表面２８４の側縁部２７６およびフロント端部２８０に隣接して配設されている。活性化タブ２７２は、輪郭付けされた内側表面２８８を有する。輪郭付けされた内側表面２８８は、コッキングメカニズム４６の動作の間に、一次ギヤラック３３４が後方におよび前方に移動させられるときに、カムローブ２６８のフロント縁部２９２に係合するようにサイズ決めされ、形状決めされ、かつ位置付けされている。カムローブ２６８の係合は、コッキングメカニズム４６の動作の間に、メータリングロッド２３４の上向きの移動を引き起こし、メータリングロッド２３４の下向きの移動がそれに続く。そのような移動は、メータリングロッド２３４に付着している任意の微粒子発射体３８を取り除く役割を果たす。
【００６６】
（１０）さらなる変形例では、コッキングメカニズム４６の動作の間の一次ギヤラック３３４の前方移動の間のカム活性化タブ２７２によるカムローブ２６８の係合は、動作の完了の聴覚的な確認を提供する。
【００６７】
（１１）一層さらなる変形例では、図２〜図６、図１１および図１２に示されているように、メインポール１８２と協調して移動する制御スロット３４８は、該制御スロット３４８の後方移動の間に、内部安全ピボット１５４の第１の端部３７４を押し上げられた位置３７８に維持する。これは、ピボット１５４の第２の端部３８２が圧縮ガスリリースメカニズム３０のトリガー１４２の上側端部３９０において上側突出部１５０に係合することを引き起こし、それによって、メカニズム３０の活性化を防止する。制御スロット３４８は、一次ギヤラック３３４および前記制御スロット３４８の前方移動が完了すると、下降した位置３８０への内部安全ピボット１５４の前記第１の端部３７４の下向きの移動を引き起こす。下向きの移動は、トリガー１４２の上側突出部１５０のリリースを可能にするとともに、ガスリリースメカニズム３０の活性化を可能にする。
【００６８】
（１２）一層さらなる変形例では、図１および図１６に示されているように、ストック５０は、のぞき窓（sight glass）４２２をさらに含む。のぞき窓４２２は、マガジン３４に隣接して位置決めされており、マガジン３４の中に収容されている微粒子発射体３８のレベル４２６を見ることを可能にする。
【００６９】
（１３）一層さらなる変形例では、図３、図３Ａ〜図３Ｅに示されているように、コッキングメカニズム制御３３６が設けられている。コッキングメカニズム制御３３６は、受け入れノッチ３４０を含む。受け入れノッチ３４０は、コッキングメカニズム４６の外側サイドレール３４４の中に配設される。ブロッキング部分３４８が設けられている。ブロッキング部分３４８は、二次ギヤラック３７０の下側３５２に枢動可能に装着されている。ブロッキング部分３４８は、スプリング３５６によって受け入れノッチ３４０に向けて付勢されている。ブロッキング部分３４８は、下側縁部３６４に保持突出部３６０を有する。保持突出部３６０は、受け入れノッチ３４０に係合するようにサイズ決めおよび形状決めされており、また、該保持突出部３６０の上方に上向きに延在する角度付きの表面３６８を有する。活性化部分３７２が設けられている。活性化部分３７２は、第１の端部３１４に隣接して従属ポール２６２に取り付けられている。活性化部分３７２は、圧縮ガスリリースメカニズム３０の活性化のときに、従属ポール２６２とともに下向きに移動する。活性化部分３７２は、ブロッキング部分３４８の角度付きの表面３６８の上に支えられ、受け入れノッチ３４０から外へ保持突出部３６０を付勢し、それによって、コッキングメカニズム４６が活性化されることを可能にする。
【００７０】
（１４）別の変形例では、図１９および図２０に示されているように、銃１０は、圧縮ガス源１４として事前充填されたＣＯ２カートリッジ８８を使用し、銃１０は、円筒形状のカートリッジチャンバー４３４をさらに含む。カートリッジチャンバー４３４は、ＣＯ２カートリッジ８８を封入するようにサイズ決めおよび形状決めされており、カートリッジ８８の導入のために、第１の端部４４２にシール可能な開口部４３８を有する。第２の端部４５０に位置する凹状のシート４４６が設けられている。シート４４６は、カートリッジ８８の放出端部４５４の周りにシール可能にフィットするようにサイズ決めおよび形状決めされている。中空の穿刺針４５８がシート４４６の中に配設されており、一方向弁４６２が穿刺針４５８に流体接続されている。シーリングキャップ４６６が設けられている。キャップ４６６は、ねじ山４７０を嵌め合わせることによって、カートリッジチャンバー４３４に脱着可能に装着される。キャップ４６６を締め付けることは、穿刺針４５８に対してカートリッジ８８を付勢する。圧力容器４７４が設けられている。圧力容器４７４は、メータリングデバイス４７８に流体接続されている。メータリングデバイス４７８は、圧縮ガスリリースメカニズム３０の活性化のときに、所定の分量の圧縮ガス１３８がチャンバー１８に進入することを可能にする。
【００７１】
（１５）さらに別の変形例では、図４〜図６、図１９および図２０に示されているように、圧縮ガスリリースメカニズム３０は、トリガー１４２をさらに含む。トリガー１４２は、ストック５０に回転可能に装着されており、湾曲したトリガーリターンスプリング５２によって、反時計回り方向に付勢されている。トリガーリターンスプリング５２は、ストック５０の中の湾曲したチャネル５６によって拘束されている。トリガー１４２は、上側突出部１５０を有する。上側突出部１５０は、内部安全ピボット１５４に係合する。安全ピボット１５４は、コッキングアクションが完了していない場合には、ラッチングメカニズム１３０のリリースを防止する。トリガー１４２は、上側突出部１５０の後方に位置する押し上げランプ１５８を有する。押し上げランプ１５８は、トリガー１４２が後方に枢動されるときに、下向きに付勢する圧縮スプリング１６６に対抗して、ラッチングメカニズム１３０のリリーシングブラケット１６２を上向きに付勢する。リリーシングブラケット１６２は、ストック５０に取り付けられたフィッティング１７０の上で枢動し、ストック５０の中のノッチ１６８の中に配設された上向きを指すトラベル制限アーム１６４を有し、また、下向きに面するリブ１７４を有する。リブ１７４は、ローディングロッド４８６の中の上向きに面する制御ノッチ４８２にリリース可能に係合する。ローディングロッド４８６は、ローディングコイルスプリング４９０によって前方へ付勢され、リア端部４９８に、制御ノッチ４８２の後方に位置する上向きに角度の付いたランプ４９４を有する。ランプ４９４は、リブ１７４を制御ノッチ４８２の中へガイドする。
【００７２】
ローディングロッド４８６は、コッキングアクションの間に、ストック５０の中のチャネル（図示せず）の中で後方に移動する。リリーシングブラケット１６２は、リブ１７４が制御ノッチ４８２に係合しているときに、第１のコックされた位置５０２にローディングロッド４８６を保持する。リリーシングブラケット１６２は、トリガー１４２が後方に枢動され、リリーシングブラケット１６２を押し上げ、制御ノッチ４８２からリブ１７４を上昇させるときに、第２の発射された位置５０６へローディングロッド４８６をリリースする。これは、ローディングロッド４８６が、ローディングコイルスプリング４９０によって付勢されるのにしたがって前方へ移動することを可能にする。ローディングロッド４８６は、発射体ローディングメカニズム４２およびメータリングデバイス４７８を活性化させる。
【００７３】
（１６）本発明のさらに別の変形例では、図２２に示されているように、銃１０は、圧縮ガス源１４として空気圧ポンプ式の空気貯蔵部９４を使用し、銃１０は、ガスシリンダー５１４をさらに含む。シリンダー５１４は、入口弁５１８および出口弁５２２を有する。ピストン５２６が設けられている。ピストン５２６は、シリンダー５１４の中にシール可能にフィットする。ポンピングメカニズム５３０が設けられている。ポンピングメカニズム５３０は、ピストン５２６に機械的に結合され、ピストン５２６をシリンダー５１４の中の拡張位置５３４から圧縮位置５３８へ移動させる。入口弁５１８は、ピストン５２６が圧縮位置５３８から拡張位置５３４に移動するときには開位置５４２にあり、ピストン５２６が拡張位置５３４から圧縮位置５３８に移動するときには閉位置（図示せず）にある。出口弁５２２は、ピストン５２６が圧縮位置５３８から拡張位置５３４に移動するときには閉位置（図示せず）５５０にあり、ピストン５２６が拡張位置５３４から圧縮位置５３８に移動するときには開位置５５０にある。
【００７４】
空気貯蔵部９４は、出口弁５２２およびチャンバー１８に流体接続されている。発射体ローディングメカニズム４２は、圧縮ガスリリースメカニズム３０の活性化のときに、所定の分量の圧縮ガス１３８がチャンバー１８に進入することを可能にする。ポンピングメカニズム５３０によるシリンダー５１４の中での拡張位置５３４から圧縮位置５３８へのピストン５２６の繰り返される移動は、空気貯蔵部９４の中の圧力を増大させ、圧縮ガスリリースメカニズム３０によって圧力が解放されたときに、増大した力によって微粒子発射体３８がチャンバー１８からイジェクトされることを可能にする。
【００７５】
（１７）さらなる変形例では、図４〜図６、図１９および図２０に示されているように、圧縮ガスリリースメカニズム３０は、トリガー１４２をさらに含む。トリガー１４２は、ストック５０に回転可能に装着されており、湾曲したトリガーリターンスプリング５２によって、反時計回り方向に付勢されている。トリガーリターンスプリング５２は、ストック５０の中の湾曲したチャネル５６によって拘束されている。トリガー１４２は、上側突出部１５０を有する。上側突出部１５０は、内部安全ピボット１５４に係合する。安全ピボット１５４は、コッキングアクションが完了していない場合には、ラッチングメカニズム１３０のリリースを防止する。トリガー１４２は、上側突出部１５０の後方に位置する押し上げランプ１５８を有する。押し上げランプ１５８は、トリガー１４２が後方に枢動されるときに、下向きに付勢する圧縮スプリング１６６に対抗して、ラッチングメカニズム１３０のリリーシングブラケット１６２を上向きに付勢する。リリーシングブラケット１６２は、ストック５０に取り付けられたフィッティング１７０の上で枢動し、ストック５０の中のノッチ１６８の中に配設された上向きを指すトラベル制限アーム１６４を有し、また、下向きに面するリブ１７４を有する。リブ１７４は、ローディングロッド４８６の中の上向きに面する制御ノッチ４８２にリリース可能に係合する。ローディングロッド４８６は、ローディングコイルスプリング４９０によって前方へ付勢され、リア端部４９８に、制御ノッチ４８２の後方に位置する上向きに角度の付いたランプ４９４を有する。ランプ４９４は、リブ１７４を制御ノッチ４８２の中へガイドする。
【００７６】
ローディングロッド４８６は、コッキングアクションの間に、ストック５０の中のチャネル（図示せず）の中で後方に移動する。リリーシングブラケット１６２は、リブ１７４が制御ノッチ４８２に係合しているときに、第１のコックされた位置５０２にローディングロッド４８６を保持する。リリーシングブラケット１６２は、トリガー１４２が後方に枢動され、リリーシングブラケット１６２を押し上げ、制御ノッチ４８２からリブ１７４を上昇させるときに、第２の発射された位置５０６へローディングロッド４８６をリリースする。これは、ローディングロッド４８６が、ローディングコイルスプリング４９０によって付勢されるのにしたがって前方へ移動することを可能にする。ローディングロッド４８６は、発射体ローディングメカニズム４２およびメータリングデバイス４７８を活性化させる。
【００７７】
（１８）一層さらなる変形例では、図２１に示されているように、銃１０は、圧縮ガス源１４として再充填可能な圧縮ガスシリンダー９０を使用する。シリンダー９０は、第１の端部５８２に隣接して位置する遮断弁５７４および取り付けフィッティング５７８を有する。嵌合取り付けフィッティング５８６が設けられている。嵌合フィッティング５８６は、サポートストック５０に装着されており、また、メータリングデバイス４７８に流体接続されている。メータリングデバイス４７８は、チャンバー１８に流体接続されており、メータリングデバイス４７８は、圧縮ガスリリースメカニズム３０の活性化のときに、所定の分量の圧縮ガス１３８がチャンバー１８に侵入することを可能にする。チャージされた再充填可能な圧縮ガスシリンダー９０は嵌合取り付けフィッティング５８６に取り付けられ、圧縮ガスリリースメカニズム３０の活性化のときに、遮断弁５７４が開けられ、圧縮ガス１３８がメータリングデバイス４７８によってリリースされる。
【００７８】
（１９）一層さらなる変形例では、図４〜図６、図１９および図２０に示されているように、圧縮ガスリリースメカニズム３０は、トリガー１４２をさらに含む。トリガー１４２は、ストック５０に回転可能に装着されており、湾曲したトリガーリターンスプリング５２によって反時計回り方向に付勢されている。トリガーリターンスプリング５２は、ストック５０の中の湾曲したチャネル５６によって拘束されている。トリガー１４２は、上側突出部１５０を有する。上側突出部１５０は、内部安全ピボット１５４に係合する。安全ピボット１５４は、コッキングアクションが完了していない場合には、ラッチングメカニズム１３０のリリースを防止する。トリガー１４２は、上側突出部１５０の後方に位置する押し上げランプ１５８を有する。押し上げランプ１５８は、トリガー１４２が後方に枢動されるときに、下向きに付勢する圧縮スプリング１６６に対抗して、ラッチングメカニズム１３０のリリーシングブラケット１６２を上向きに付勢する。リリーシングブラケット１６２は、ストック５０に取り付けられたフィッティング１７０の上で枢動し、ストック５０の中のノッチ１６８の中に配設された上向きを指すトラベル制限アーム１６４を有し、また、下向きに面するリブ１７４を有する。リブ１７４は、ローディングロッド４８６の中の上向きに面する制御ノッチ４８２にリリース可能に係合する。ローディングロッド４８６は、ローディングコイルスプリング４９０によって前方へ付勢され、リア端部４９８に、制御ノッチ４８２の後方に位置する上向きに角度の付いたランプ４９４を有する。ランプ４９４は、リブ１７４を制御ノッチ４８２の中へガイドする。
【００７９】
ローディングロッド４８６は、コッキングアクションの間、ストック５０の中のチャネル（図示せず）の中で後方に移動する。リリーシングブラケット１６２は、リブ１７４が制御ノッチ４８２に係合しているときに、第１のコックされた位置５０２にローディングロッド４８６を保持する。リリーシングブラケット１６２は、トリガー１４２が後方に枢動し、リリーシングブラケット１６２を押し上げ、制御ノッチ４８２からリブ１７４を上昇させるときに、第２の発射された位置５０６へローディングロッド４８６をリリースする。これは、ローディングロッド４８６が、コイルスプリング４９０によって付勢されるのにしたがって前方に移動することを可能にする。ローディングロッド４８６は、発射体ローディングメカニズム４２およびメータリングデバイス４７８を活性化させる。
【００８０】
（２０）別の変形例では、図２３に示されているように、銃１０は、圧縮ガス源１４として外部圧縮ガスライン１０２を使用し、銃１０は、外部圧縮ガスライン１０２をさらに含む。ライン１０２は、圧縮ガス源５９２に接続され、第１の端部６０２に隣接して位置する遮断弁５９４および取り付けフィッティング５９８を有する。嵌合取り付けフィッティング６０６が設けられている。嵌合フィッティング６０６は、サポートストック５０に装着されており、また、メータリングデバイス４７８に流体接続される。メータリングデバイス４７８は、チャンバー１８に流体接続される。メータリングデバイス４７８は、圧縮ガスリリースメカニズム３０の活性化のときに、所定の分量の圧縮ガス１３８がチャンバー１８に進入することを可能にする。外部圧縮ガスライン１０２は、嵌合取り付けフィッティング６０６に取り付けられ、圧縮ガスリリースメカニズム３０の活性化のときに、遮断弁５９４が開けられ、圧縮ガス１３８がメータリングデバイス４７８によってリリースされる。
【００８１】
（２１）さらなる別の変形例では、図４〜図６、図１９および図２０に示されているように、圧縮ガスリリースメカニズム３０は、トリガー１４２をさらに含む。トリガー１４２は、ストック５０に回転可能に装着されており、湾曲したトリガーリターンスプリング５２によって、反時計回り方向に付勢されている。トリガーリターンスプリング５２は、ストック５０の中の湾曲したチャネル５６によって拘束されている。トリガー１４２は、上側突出部１５０を有する。上側突出部１５０は、内部安全ピボット１５４に係合する。安全ピボット１５４は、コッキングアクションが完了していない場合には、ラッチングメカニズム１３０のリリースを防止する。トリガー１４２は、上側突出部１５０の後方に位置する押し上げランプ１５８を有する。押し上げランプ１５８は、トリガー１４２が後方に枢動されるときに、下向きに付勢する圧縮スプリング１６６に対抗して、ラッチングメカニズム１３０のリリーシングブラケット１６２を上向きに付勢する。リリーシングブラケット１６２は、ストック５０に取り付けられたフィッティング１７０の上で枢動し、ストック５０の中のノッチ１６８の中に位置する上向きを指すトラベル制限アーム１６４を有し、また、下向きに面するリブ１７４を有する。リブ１７４は、ローディングロッド４８６の中の上向きに面する制御ノッチ４８２にリリース可能に係合する。ローディングロッド４８６は、ローディングコイルスプリング４９０によって前方へ付勢されており、リア端部４９８に、制御ノッチ４８２の後方に位置する上向きに角度の付いたランプ４９４を有する。ランプ４９４は、リブ１７４を制御ノッチ４８２内へガイドする。
【００８２】
ローディングロッド４８６は、コッキングアクションの間、ストック５０の中のチャネル（図示せず）の中で後方に移動する。リリーシングブラケット１６２は、リブ１７４が制御ノッチ４８２に係合しているときに、第１のコックされた位置５０２にローディングロッド４８６を保持する。リリーシングブラケット１６２は、トリガー１４２が後方に枢動し、リリーシングブラケット１６２を押し上げ、制御ノッチ４８２からリブ１７４を上昇させるときに、第２の発射された位置５０６へローディングロッド４８６をリリースする。これは、ローディングロッド４８６が、ローディングコイルスプリング４９０によって付勢されるのにしたがって前方へ移動することを可能にする。ローディングロッド４８６は、発射体ローディングメカニズム４２およびメータリングデバイス４７８を活性化させる。
【００８３】
（２２）さらに別の変形例では、図１５に示されているように、サポートストック５０のピストルグリップ６１０およびフォアアーム６１４は、平坦化された下側表面６１８、６２２を有する。平坦化された面６１８、６２２は、発射体貯蔵マガジン３４に微粒子発射体３８を追加するために、改善された殺虫銃１０が直立位置６２６でバランスされることを可能にする。
【００８４】
（２３）本発明のさらなる変形例では、図１６〜図１８に示されているように、改善された殺虫銃１０は、レーザーサイティングデバイス６３０をさらに含む。レーザーサイティングデバイス６３０は、バッテリー給電式レーザー６３４を含む。レーザー６３４は、レーザー照準スポット６３８を作り出すことができる。ハウジング６４２が設けられている。ハウジング６４２は、レーザー６３４、バッテリー電源６４６、およびレーザー６３４のための制御回路６５０を内包するように適合されている。取り付けメカニズム６５４が設けられている。取り付けメカニズム６５４は、バレル２２の遠位端部６５８に隣接してレーザーサイティングデバイス６３０を取り付けるように適合されている。
【００８５】
（２４）一層さらなる変形例では、図１６に示されているように、取り付けメカニズム６５４は、バレル２２の遠位端部６５８と一体的に形成される。
【００８６】
（２５）一層さらなる変形例では、図１７に示されているように、取り付けメカニズム６５４は、レーザーサイティングデバイス６３０をバレル２２の遠位端部６５８に取り外し可能に取り付けるように適合されている。
【００８７】
（２６）別の変形例では、レーザーサイティングデバイス６３０は、レーザー照準スポット６３８の照準ポイント６７０のためのエレベーション調節６６２およびウィンデージ調節６６６を含む。
【００８８】
（２７）さらに別の変形例では、パワースイッチ６７４を備える。スイッチ６７４は、レーザー６３４へのパワーを制御する。
【００８９】
（２８）さらに別の変形例では、パワースイッチ６７４は、ハウジング６４２の上に装着される。
【００９０】
（２９）本発明の最終的な変形例では、図１８に示されているように、パワースイッチ６７４は、トリガー１４２と一体になっている。トリガー１４２の初期の後方移動は、パワースイッチ６７４の中の回路６７８を完成させ、それにより、圧縮ガスリリースメカニズム３０の活性化の前に、レーザー照準スポット６３８を提供する。
【００９１】
コンパクトな改善された殺虫銃１０が、特定の実施例を参照して説明された。以下の特許請求の範囲の精神および適用範囲を逸脱することなく、これ以外の修正および向上をすることが可能である。
【図１】
2019083812.tif 000003
【図２】
2019083812.tif 000004
【図３】
2019083812.tif 000005
【図３Ａ】
2019083812.tif 000006
【図３Ｂ】
2019083812.tif 000007
【図３Ｃ】
2019083812.tif 000008
【図３Ｄ】
2019083812.tif 000009
【図３Ｅ】
2019083812.tif 000010
【図４】
2019083812.tif 000011
【図５】
2019083812.tif 000012
【図６】
2019083812.tif 000013
【図７】
2019083812.tif 000014
【図８】
2019083812.tif 000015
【図９】
2019083812.tif 000016
【図１０】
2019083812.tif 000017
【図１１】
2019083812.tif 000018
【図１２】
2019083812.tif 000019
【図１３】
2019083812.tif 000020
【図１４】
2019083812.tif 000021
【図１５】
2019083812.tif 000022
【図１６】
2019083812.tif 000023
【図１７】
2019083812.tif 000024
【図１８】
2019083812.tif 000025
【図１９】
2019083812.tif 000026
【図２０】
2019083812.tif 000027
【図２１】
2019083812.tif 000028
【図２２】
2019083812.tif 000029
【図２３】
2019083812.tif 000030
【外国語明細書】
【発明の名称】
2019083812.tif 000031
【技術分野】
【０００１】
2019083812.tif 000032
【背景技術】
【０００２】
2019083812.tif 000033
2019083812.tif 000034
2019083812.tif 000035
2019083812.tif 000036
2019083812.tif 000037
2019083812.tif 000038
2019083812.tif 000039
2019083812.tif 000040
2019083812.tif 000041
2019083812.tif 000042
2019083812.tif 000043
2019083812.tif 000044
2019083812.tif 000045
2019083812.tif 000046
2019083812.tif 000047
2019083812.tif 000048
2019083812.tif 000049
【図面の簡単な説明】
【０００３】
2019083812.tif 000050
2019083812.tif 000051
2019083812.tif 000052
【発明を実施するための形態】
【０００４】
2019083812.tif 000053
2019083812.tif 000054
2019083812.tif 000055
2019083812.tif 000056
2019083812.tif 000057
2019083812.tif 000058
2019083812.tif 000059
2019083812.tif 000060
2019083812.tif 000061
2019083812.tif 000062
2019083812.tif 000063
2019083812.tif 000064
2019083812.tif 000065
2019083812.tif 000066
2019083812.tif 000067
2019083812.tif 000068
2019083812.tif 000069
2019083812.tif 000070
2019083812.tif 000071
2019083812.tif 000072
2019083812.tif 000073
2019083812.tif 000074
2019083812.tif 000075
2019083812.tif 000076
2019083812.tif 000077
2019083812.tif 000078
2019083812.tif 000079
2019083812.tif 000080
2019083812.tif 000081
【要約】
2019083812.tif 000082
【選択図】図１
【図１】
2019083812.tif 000083
【図２】
2019083812.tif 000084
【図３】
2019083812.tif 000085
【図３Ａ】
2019083812.tif 000086
【図３Ｂ】
2019083812.tif 000087
【図３Ｃ】
2019083812.tif 000088
【図３Ｄ】
2019083812.tif 000089
【図３Ｅ】
2019083812.tif 000090
【図４】
2019083812.tif 000091
【図５】
2019083812.tif 000092
【図６】
2019083812.tif 000093
【図７】
2019083812.tif 000094
【図８】
2019083812.tif 000095
【図９】
2019083812.tif 000096
【図１０】
2019083812.tif 000097
【図１１】
2019083812.tif 000098
【図１２】
2019083812.tif 000099
【図１３】
2019083812.tif 000100
【図１４】
2019083812.tif 000101
【図１５】
2019083812.tif 000102
【図１６】
2019083812.tif 000103
【図１７】
2019083812.tif 000104
【図１８】
2019083812.tif 000105
【図１９】
2019083812.tif 000106
【図２０】
2019083812.tif 000107
【図２１】
2019083812.tif 000108
【図２２】
2019083812.tif 000109
【図２３】
2019083812.tif 000110